(57)【要約】【課題】簡単な操作でベルトの長さの連続的な調整を可能とし、利便性を良くする。【解決手段】内側カバー（１０）と外側カバー（２０）との間のスライドウェイに、両端からそれぞれ挿入されて一部が重なって設けられた第１のベルト（３０）と第２のベルト（４０）との重なり部に、長手方向に沿って夫々第１の長孔（３１）及び第２の長孔（４１）を設け、第１の長孔（３１）の長手方向に平行な一方の側壁に設けられた第１の伝動歯（３２）、及びそれに対向する第２の長孔（４１）の側壁に設けられた第２の伝動歯（４２）と噛み合って回転するギア（５０）を設け、該ギア（５０）を回転操作して第１のベルト（３０）と第２のベルト（４０）と、を互いに接近又は離間するように動かしてベルトの長さを調整する。【選択図】図１
2019516486.tif 000002
【特許請求の範囲】
【請求項１】
内側カバーと、外側カバーと、第１のベルトと、第２のベルトと、ギアと、ベルトバックルとを含み、前記内側カバーと前記外側カバーとが係合され、両者間にスライドウェイが形成されており、前記第１のベルト及び前記第２のベルトが、前記スライドウェイの両端からそれぞれ挿入されて重なって設けられたウェアラブル製品のベルト接続構造であって、
前記第１のベルトにおける前記スライドウェイに対応する位置に、前記第１のベルトの長手方向に沿って第１の長孔が設けられており、前記第１の長孔の一方の側壁に第１の伝動歯が設けられており、前記第２のベルトにおける前記スライドウェイに対応する位置に、前記第２のベルトの長手方向に沿って第２の長孔が設けられており、前記第２の長孔における前記第１の伝動歯に対向する側壁に第２の伝動歯が設けられており、前記ギアが、前記第１の伝動歯及び前記第２の伝動歯のそれぞれに噛み合うと共に、前記スライドウェイの側壁と回転接続されており、前記ギアの側面に同軸の接続部材が設けられており、前記外側カバーの外側壁に、前記スライドウェイに連通したスリーブが設けられており、前記スリーブの内側壁に、軸方向に沿って延びた歯が設けられ、前記スリーブの外側壁に、少なくとも二つの環状溝が設けられており、前記ベルトバックルが、前記スリーブに取り付けられており、押圧部と、一端が前記押圧部に固着され他端が前記接続部材に接続された接続柱とを含んで構成され、前記接続柱と前記接続部材とは軸方向に沿って摺動可能であるが、相対回転不能であり、前記接続柱の外側面に、その軸方向に沿って延びた位置規制歯が設けられており、前記接続柱の周方向に、前記接続柱から間隔を置いた係着フランジがさらに設けられており、前記係着フランジが一つの前記環状溝と係着される、
ことを特徴とするウェアラブル製品のベルト接続構造。
【請求項２】
前記環状溝が二つ設けられており、前記スリーブの前記外側カバーから遠い端にブロッキングフランジが設けられており、前記ブロッキングフランジと前記外側カバーとの間にさらに位置規制フランジが設けられており、前記ブロッキングフランジと前記位置規制フランジとの間、前記位置規制フランジと前記外側カバーとの間に、それぞれ一つの前記環状溝が形成されている、ことを特徴とする請求項１に記載のウェアラブル製品のベルト接続構造。
【請求項３】
前記接続柱の前記押圧部から遠い端に角柱状の軸方向孔が設けられており、前記接続部材が角柱であり、かつ前記軸方向孔内に挿入され、前記角柱の外接円直径が角柱状の前記軸方向孔の内接円直径よりも大きい、ことを特徴とする請求項２に記載のウェアラブル製品のベルト接続構造。
【請求項４】
前記接続柱が角柱状に設けられており、前記接続部材が角柱状の軸方向孔を有する管であり、前記接続柱の端部が前記管の軸方向孔内に挿入され、前記角柱の外接円直径が角柱状の前記軸方向孔の内接円直径よりも大きい、ことを特徴とする請求項２に記載のウェアラブル製品のベルト接続構造。
【請求項５】
前記接続柱の外周に筒状の接続壁が設けられており、前記接続壁の一端が前記押圧部に接続され、前記位置規制フランジが前記接続壁の他端の内側壁に設けられている、ことを特徴とする請求項１〜４のいずれか１項に記載のウェアラブル製品のベルト接続構造。
【請求項６】
前記位置規制フランジが、前記接続壁の内側壁の周方向に沿って間隔を空けて設けられた複数のフランジ単体を含む、ことを特徴とする請求項５に記載のウェアラブル製品のベルト接続構造。
【請求項７】
前記内側カバーは溝状であり、両溝壁の間で前記ギアに対応する位置に回転軸が設けられており、前記ギアが前記回転軸に外嵌されて相対回転可能であり、前記外側カバーは板状であり、前記内側カバー側のノッチに係合される、ことを特徴とする請求項１に記載のウェアラブル製品のベルト接続構造。
【発明の詳細な説明】
【技術分野】
【０００１】
本発明は、ウェアラブル製品の技術分野に属し、特に、ウェアラブル製品のベルト接続構造に関する。
【背景技術】
【０００２】
例えばブレスレット、スマートウォッチ、仮想現実機器などのウェアラブル製品が人々の日常生活に多く登場するようになった。
【発明の概要】
【発明が解決しようとする課題】
【０００３】
これらのウェアラブル製品は、ベルトの緩み調整構造が複雑であり、操作が面倒で手間がかかり、連続的な調整も実現できず、使用に大きな不便をもたらしている。
【０００４】
本発明は、ウェアラブル製品のベルトの長さの調整操作が面倒で手間がかかるという問題を解決するために、長さの連続的な調整を実現でき、操作が簡単で利便性のあるウェアラブル製品のベルト接続構造を提供することを目的とする。
【課題を解決するための手段】
【０００５】
本発明は、次のようにして実現される。即ち、内側カバーと、外側カバーと、第１のベルトと、第２のベルトと、ギアと、ベルトバックルとを含み、前記内側カバーと前記外側カバーとが係合され、両者間にスライドウェイが形成されており、前記第１のベルト及び前記第２のベルトが、前記スライドウェイの両端からそれぞれ挿入されて重なって設けられたウェアラブル製品のベルト接続構造であって、前記第１のベルトにおける前記スライドウェイに対応する位置に、前記第１のベルトの長手方向に沿って第１の長孔が設けられており、前記第１の長孔の一方の側壁に第１の伝動歯が設けられており、前記第２のベルトにおける前記スライドウェイに対応する位置に、前記第２のベルトの長手方向に沿って第２の長孔が設けられており、前記第２の長孔における前記第１の伝動歯に対向する側壁に第２の伝動歯が設けられており、前記ギアが、前記第１の伝動歯及び前記第２の伝動歯のそれぞれに噛み合うと共に、前記スライドウェイの側壁と回転接続されており、前記ギアの側面に同軸の接続部材が設けられており、前記外側カバーの外側壁に、前記スライドウェイに連通したスリーブが設けられており、前記スリーブの内側壁に、軸方向に沿って延びた歯が設けられ、前記スリーブの外側壁に、少なくとも二つの環状溝が設けられており、前記ベルトバックルが、前記スリーブに取り付けられており、押圧部と、一端が前記押圧部に固着され他端が前記接続部材に接続された接続柱とを含んで構成され、前記接続柱と前記接続部材とは軸方向に沿って摺動可能であるが、相対回転不能であり、前記接続柱の外側面に、その軸方向に沿って延びた位置規制歯が設けられており、前記接続柱の周方向に、前記接続柱から間隔を置いた係着フランジがさらに設けられており、前記係着フランジが一つの前記環状溝と係着される。
【０００６】
好ましくは、前記環状溝が二つ設けられており、前記スリーブの前記外側カバーから遠い端にブロッキングフランジが設けられており、前記ブロッキングフランジと前記外側カバーとの間にさらに位置規制フランジが設けられており、前記ブロッキングフランジと前記位置規制フランジとの間、前記位置規制フランジと前記外側カバーとの間に、それぞれ一つの前記環状溝が形成されている。
【０００７】
好ましくは、前記接続柱の前記押圧部から遠い端に角柱状の軸方向孔が設けられており、前記接続部材が角柱であり、かつ前記軸方向孔内に挿入され、前記角柱の外接円直径が角柱状の前記軸方向孔の内接円直径よりも大きい。
【０００８】
又は、前記接続柱が角柱状に設けられており、前記接続部材が角柱状の軸方向孔を有する管であり、前記接続柱の端部が前記管の軸方向孔内に挿入され、前記角柱の外接円直径が角柱状の前記軸方向孔の内接円直径よりも大きくてもよい。
【０００９】
好ましくは、前記接続柱の外周に筒状の接続壁が設けられており、前記接続壁の一端が前記押圧部に接続され、前記位置規制フランジが前記接続壁の他端の内側壁に設けられている。
【００１０】
好ましくは、前記位置規制フランジが、前記接続壁の内側壁の周方向に沿って間隔を空けて設けられた複数のフランジ単体を含む。
【００１１】
好ましくは、前記内側カバーは溝状であり、両溝壁の間で前記ギアに対応する位置に回転軸が設けられており、前記ギアが前記回転軸に外嵌されて相対回転可能であり、前記外側カバーは板状であり、前記内側カバー側のノッチに係合される。
【００１２】
以上説明したように、本発明によるウェアラブル製品のベルト接続構造は、内側カバーと、外側カバーと、第１のベルトと、第２のベルトと、ギアと、ベルトバックルとを含み、内側カバーと外側カバーとが係合され、内側カバーと外側カバーとの間にスライドウェイが形成されており、第１のベルト及び第２のベルトが、スライドウェイの両端からそれぞれ挿入されて重なって設けられており、第１のベルトにおけるスライドウェイに対応する位置に、第１のベルトの長手方向に沿って第１の長孔が設けられており、第１の長孔の一方の側壁に第１の伝動歯が設けられており、第２のベルトにおけるスライドウェイに対応する位置に、第２のベルトの長手方向に沿って第２の長孔が設けられており、第２の長孔における第１の伝動歯に対向する側壁に第２の伝動歯が設けられており、ギアが、第１の伝動歯及び第２の伝動歯のそれぞれに噛み合うと共に、スライドウェイの側壁と回転接続されており、ギアの側面に同軸の接続部材が設けられており、外側カバーの外側壁に、スライドウェイに連通したスリーブが設けられており、スリーブの内側壁に、軸方向に沿って延びた歯が設けられており、スリーブの外側壁に、少なくとも二つの環状溝が設けられており、ベルトバックルが、スリーブに取り付けられており、押圧部と、一端が押圧部に固着され他端が接続部材に接続された接続柱とを含んで構成され、接続柱と接続部材とは軸方向に沿って摺動可能であるが、相対回転不能であり、接続柱の外側面に、その軸方向に沿って延びた位置規制歯が設けられており、接続柱の周方向に、接続柱から間隔を置いた係着フランジがさらに設けられており、係着フランジが一つの環状溝と係着される。
【発明の効果】
【００１３】
本発明によれば、ウェアラブル製品の接続ベルトの長さを調整する必要がある場合には、押圧部を外側に引っ張って、接続柱の外側面における位置規制歯をスリーブの内側壁における歯から外すことで可能となる。即ち、接続柱と接続部材とは軸方向に摺動可能であるが、相対回転が不能になっているため、押圧部が引き抜かれた後も、接続柱と接続部材とは分離せず、押圧部を回転させると、回転動力が接続柱及び接続部材を介してギアに伝達される。ここで、上記ギアは、第１のベルトの第１の長孔の一方の側壁に設けられた第１の伝動歯、及び第２のベルトの第２の長孔の上記第１の伝動歯に対向する側壁に設けられた第２の伝動歯の何れとも噛み合っているため、上記回転動力がギアを介して第１のベルト及び第２のベルトに伝達され、第１のベルト及び第２のベルトが互いに接近又は離間するように動かされる。これにより、ベルトの長さ調整を達成することができる。
【００１４】
このように、ギアの噛み合いによって調整するため、連続的な調整が実現可能であり、調整完了後は、ベルトバックルの押圧部を押圧することで、係着フランジが外側カバーに近い環状溝内に当接され、接続柱の外側面における位置規制歯がスリーブの内側壁における歯と噛み合って両者が相対回転せず、ベルトバックルも回転しないのでベルトの長さを固定することができる。
【００１５】
このようにして本発明によるウェアラブル製品のベルト接続構造は、長さの連続的な調整を実現することができ、ウェアラブル製品のベルトの長さの調整操作が面倒で手間がかかるという問題を解決することができる。したがって、操作が簡単で利便性を良くすることができる。
【図面の簡単な説明】
【００１６】
【図１】本発明の実施形態によるウェアラブル製品のベルト接続構造の分解構造模式図である。
【図２】本発明の実施形態によるウェアラブル製品のベルト接続構造の内側カバーの構造模式図である。
【図３】本発明の実施形態によるウェアラブル製品のベルト接続構造の外側カバーの構造模式図である。
【発明を実施するための形態】
【００１７】
本発明の目的、技術案及び利点がさらに明確になるように、以下、図面及び実施形態を参照しながら、本発明をさらに詳しく説明する。ここに記載された具体的な実施形態は、あくまでも本発明を解釈するためのものに過ぎず、本発明を限定するものではないと理解すべきである。
【００１８】
着用時に利用者に近い側を内側、利用者から遠い側を外側と定義する。図１、図２及び図３から分かるように、本発明によるウェアラブル製品のベルト接続構造は、内側カバー１０と、外側カバー２０と、第１のベルト３０と、第２のベルト４０と、ギア５０と、ベルトバックル６０とを含んで構成されている。
【００１９】
また、内側カバー１０と外側カバー２０とが係合され、内側カバー１０と外側カバー２０との間にスライドウェイが形成されるようになっている。第１のベルト３０及び第２のベルト４０は、スライドウェイの両端からそれぞれ挿入されて重なって設けられている。
【００２０】
さらに、第１のベルト３０におけるスライドウェイに対応する位置には、第１のベルト３０の長手方向に沿って第１の長孔３１が設けられており、第１の長孔３１の長手方向に平行な一方の側壁に第１の伝動歯３２が設けられている。
【００２１】
さらにまた、第２のベルト４０におけるスライドウェイに対応する位置には、第２のベルト４０の長手方向に沿って第２の長孔４１が設けられており、第２の長孔４１における上記第１の伝動歯３２に対向する側壁には第２の伝動歯４２が設けられている。
【００２２】
上記ギア５０は、第１の伝動歯３２及び第２の伝動歯４２のそれぞれに噛み合うと共に、スライドウェイの側壁と回転接続されており、ギア５０の側面には同軸の接続部材５１が設けられている。
【００２３】
また、上記外側カバー２０の外側壁には、スライドウェイに連通したスリーブ２１が設けられており、スリーブ２１の内側壁に、軸方向に沿って延びた歯が設けられ、スリーブ２１の外側壁に、少なくとも二つの環状溝が設けられている。
【００２４】
上記ベルトバックル６０は、スリーブ２１に取り付けられている。このベルトバックル６０は、押圧部と、押圧部に固着された接続柱６１と、を含んで構成されている。ここで、上記接続柱６１と上記接続部材５１とは軸方向に沿って摺動可能であるが、相対回転は不能となっている。
【００２５】
また、接続柱６１の外側面には、接続柱６１の軸方向に沿って延びた位置規制歯６２が設けられている。さらに、接続柱６１の周方向には、接続柱６１から間隔を置いて係着フランジ６３が設けられており、一つの上記環状溝と係着するようになっている。
【００２６】
接続ベルトの長さを調整する必要がある場合には、先ず、押圧部を外側に引っ張って、接続柱６１の外側面の位置規制歯６２をスリーブ２１の内側壁における歯から外す。接続柱６１と接続部材５１とは軸方向に摺動可能であるが、相対回転は不能になっているため、押圧部が引き抜かれた後も、接続柱６１と接続部材５１とは分離せず、押圧部を回転させると、回転動力が接続柱６１及び接続部材５１を介してギア５０に伝達される。
【００２７】
ここで、第１のベルト３０の第１の長孔３１の長手方向に平行な一方の側壁に設けられた第１の伝動歯３２、及び第２のベルト４０の第２の長孔４１の第１の伝動歯３２に対向する側壁に設けられた第２の伝動歯４２は、何れもギア５０に噛み合っているため、回転動力がギア５０を介して第１のベルト３０及び第２のベルト４０に伝達される。これにより、第１のベルト３０及び第２のベルト４０が互いに接近または離間するように動いて、ベルトの長さの調整が達成される。
【００２８】
このようにベルトの長さをギアの噛み合いによって調整しているため、連続的な調整が実現可能である。また、調整終了後に、ベルトバックル６０の押圧部を押圧することで、係着フランジ６３が外側カバー２０に近い環状溝内に当接されると共に、接続柱６１の外側面における位置規制歯６２がスリーブ２１の内側壁における歯と噛み合って、両者が相対回転しなくなる。同時に、ベルトバックル６０も回転しないためベルトの長さが固定される。
【００２９】
本発明の実施形態によるウェアラブル製品のベルト接続構造は、長さの連続的な調整を実現することができる。このように、ウェアラブル製品のベルトの長さの調整操作が面倒で手間がかかるという問題を解決することができ、操作が簡単で利便性を良くすることができる。
【００３０】
より詳細には、本実施形態において、内側カバー１０は、図２に示すように溝状であり、両溝壁の間でギア５０に対応する位置に回転軸１１が設けられており、ギア５０が回転軸１１に外嵌されて相対回転可能となっている。また、外側カバー２０は板状であり、内側カバー１０側のノッチに係合される。
【００３１】
本実施形態において、スリーブ２１には、図３に示すように、環状溝が通常二つ設けられている。この場合、スリーブ２１は、スリーブ２１の外側カバー２０から遠い端にブロッキングフランジ２２を設け、ブロッキングフランジ２２と外側カバー２０との間にさらに位置規制フランジ２３を設けており、ブロッキングフランジ２２と位置規制フランジ２３との間及び位置規制フランジ２３と外側カバー２０との間に、それぞれ一つの環状溝が形成された構造となっている。
【００３２】
図１に示すように、本実施形態において、接続柱６１の押圧部から遠い端には、角柱状の軸方向孔が設けられている。一方、接続部材５１は角柱を成しており、上記軸方向孔に挿入される。この場合、両者間の相対回転を回避するために、角柱の外接円直径は、角柱状の軸方向孔の内接円直径よりも大きくされている。
【００３３】
当然ながら、逆に、接続柱６１が角柱状に形成され、接続部材５１が角柱状の軸方向孔を有する直管であり、接続柱６１の端部が直管の軸方向孔に挿入され、角柱の外接円直径が角柱状の軸方向孔の内接円直径よりも大きくなるようにしてもよい。
【００３４】
本実施形態においては、接続柱６１の外周に筒状の接続壁が設けられており、この接続壁の一端が押圧部に接続され、位置規制フランジ２３が接続壁の他端の内側壁に設けられ、この位置規制フランジ２３が、接続壁の内側壁の周方向に沿って間隔を空けて設けられた複数のフランジ単体を含む。
【００３５】
以上は、あくまでも本発明の好ましい実施形態であり、本発明を限定するものではなく、本発明の精神及び原則内でなされたいかなる補正、均等的置換及び改善等、いずれも本発明の保護範囲内に含まれる。
【符号の説明】
【００３６】
１０…内側カバー
１１…回転軸
２０…外側カバー
２１…スリーブ
２２…ブロッキングフランジ
２３…位置規制フランジ
３０…第１のベルト
３１…第１の長孔
３２…第１の伝動歯
４０…第２のベルト
４１…第２の長孔
４２…第２の伝動歯
５０…ギア
５１…接続部材
６０…ベルトバックル
６１…接続柱
６２…位置規制歯
６３…係着フランジ
【図１】
2019516486.tif 000003
【図２】
2019516486.tif 000004
【図３】
2019516486.tif 000005
【手続補正書】
【提出日】平成30年12月4日(2018.12.4)
【手続補正１】
【補正対象書類名】特許請求の範囲
【補正対象項目名】全文
【補正方法】変更
【補正の内容】
【特許請求の範囲】
【請求項１】
内側カバーと、外側カバーと、第１のベルトと、第２のベルトと、ギアと、ベルトバックルとを含み、前記内側カバーと前記外側カバーとが係合され、両者間にスライドウェイが形成されており、前記第１のベルト及び前記第２のベルトが、前記スライドウェイの両端からそれぞれ挿入されて重なって設けられたウェアラブル製品のベルト接続構造であって、
前記第１のベルトにおける前記スライドウェイに対応する位置に、前記第１のベルトの長手方向に沿って第１の長孔が設けられており、前記第１の長孔の一方の側壁に第１の伝動歯が設けられており、前記第２のベルトにおける前記スライドウェイに対応する位置に、前記第２のベルトの長手方向に沿って第２の長孔が設けられており、前記第２の長孔における前記第１の伝動歯に対向する側壁に第２の伝動歯が設けられており、前記ギアが、前記第１の伝動歯及び前記第２の伝動歯のそれぞれに噛み合うと共に、前記スライドウェイの側壁と回転接続されており、前記ギアの側面に同軸の接続部材が設けられており、前記外側カバーの外側壁に、前記スライドウェイに連通したスリーブが設けられており、前記スリーブの内側壁に、軸方向に沿って延びた歯が設けられ、前記スリーブの外側壁に、少なくとも二つの環状溝が設けられており、前記ベルトバックルが、前記スリーブに取り付けられており、押圧部と、一端が前記押圧部に固着され他端が前記接続部材に接続された接続柱とを含んで構成され、前記接続柱と前記接続部材とは軸方向に沿って摺動可能であるが、相対回転不能であり、前記接続柱の外側面に、その軸方向に沿って延びた位置規制歯が設けられており、前記接続柱の周方向に、前記接続柱から間隔を置いた係着フランジがさらに設けられており、前記係着フランジが一つの前記環状溝と係着される、
ことを特徴とするウェアラブル製品のベルト接続構造。
【請求項２】
前記環状溝が二つ設けられており、前記スリーブの前記外側カバーから遠い端にブロッキングフランジが設けられており、前記ブロッキングフランジと前記外側カバーとの間にさらに位置規制フランジが設けられており、前記ブロッキングフランジと前記位置規制フランジとの間、前記位置規制フランジと前記外側カバーとの間に、それぞれ一つの前記環状溝が形成されている、ことを特徴とする請求項１に記載のウェアラブル製品のベルト接続構造。
【請求項３】
前記接続柱の前記押圧部から遠い端に角柱状の軸方向孔が設けられており、前記接続部材が角柱であり、かつ前記軸方向孔内に挿入され、前記角柱の外接円直径が角柱状の前記軸方向孔の内接円直径よりも大きい、ことを特徴とする請求項２に記載のウェアラブル製品のベルト接続構造。
【請求項４】
前記接続柱が角柱状に設けられており、前記接続部材が角柱状の軸方向孔を有する管であり、前記接続柱の端部が前記管の軸方向孔内に挿入され、前記角柱の外接円直径が角柱状の前記軸方向孔の内接円直径よりも大きい、ことを特徴とする請求項２に記載のウェアラブル製品のベルト接続構造。
【請求項５】
前記接続柱の外周に筒状の接続壁が設けられており、前記接続壁の一端が前記押圧部に接続され、前記位置規制フランジが前記接続壁の他端の内側壁に設けられている、ことを特徴とする請求項２〜４のいずれか１項に記載のウェアラブル製品のベルト接続構造。
【請求項６】
前記位置規制フランジが、前記接続壁の内側壁の周方向に沿って間隔を空けて設けられた複数のフランジ単体を含む、ことを特徴とする請求項５に記載のウェアラブル製品のベルト接続構造。
【請求項７】
前記内側カバーは溝状であり、両溝壁の間で前記ギアに対応する位置に回転軸が設けられており、前記ギアが前記回転軸に外嵌されて相対回転可能であり、前記外側カバーは板状であり、前記内側カバー側のノッチに係合される、ことを特徴とする請求項１に記載のウェアラブル製品のベルト接続構造。
【国際調査報告】
2019516486.tif 000006
2019516486.tif 000007
2019516486.tif 000008
2019516486.tif 000009
2019516486.tif 000010
2019516486.tif 000011